(57)【要約】【課題】インパクト直後のヘッドによるボールの押し込み方を会得するゴルフ練習具を提供する。【解決手段】打点部１２にヘッド１１が衝突すると、ピストンＰが衝撃緩和シリンダ１５内に直線的に押し込められ、その分だけシリンダ１４内の圧縮空気が圧縮される。その結果、ヘッド１１の運動エネルギーが緩和され、ヘッド１１に対して作用する抵抗力が大きくなる。このとき、使用者はインパクト直後の打点部１２の押し込み抵抗を、容易に両手で感じることができる。その後、ヘッド１１は直線的に移動する打点部１２から徐々に離れて、振り抜ける。よって、インパクト直後のヘッド１１によるボールの押し込み方を効果的に会得することができる。【選択図】　　　　図１
2004033559.tif 000002
【特許請求の範囲】
【請求項１】
ゴルフクラブのヘッドを打点部に衝突させてゴルフクラブのスイングを練習するゴルフ練習具において、
前記打点部がピストンロッドの先端部に固定され、シリンダ内部にインパクト時の衝撃力を緩和させる緩衝用流体が充填された衝撃緩和シリンダを備えたゴルフ練習具。
【請求項２】
前記衝撃緩和シリンダには、前記緩衝用流体の充填量を調整する充填量調整手段が設けられた請求項１に記載のゴルフ練習具。
【請求項３】
前記打点部とピストンロッドとの間には、前記打点部を弾性支持する弾性部材が設けられた請求項１または請求項２に記載のゴルフ練習具。
【請求項４】
前記衝撃緩和シリンダに、インパクト時の衝撃力の大きさを測定する圧力ゲージを設けた請求項１〜請求項３のうち、何れか１項に記載のゴルフ練習具。
【発明の詳細な説明】
【０００１】
【発明の属する技術分野】
本発明は、ゴルフ練習具、詳しくはインパクト直後のヘッドによるボールの押し込み方を会得するためのゴルフ練習具に関する。
【０００２】
【従来の技術とその課題】
従来、ゴルフ練習具として、例えば特開２０００−３７４９４号公報のゴルフ練習具が知られている。この従来具は、クラブのヘッドを当ててスイングを練習するゴルフ練習具であって、ヘッドを当てる打点部と、この打点部を、ヘッドの移動方向に沿って１０〜２００ｍｍの範囲で略直線的に移動させ、かつ、ヘッドの運動エネルギーを吸収して停止させるように、支持する支持部とを備えて構成されている。
したがって、打点部にヘッドを当てるようにスイングすれば、支持部がヘッドの運動エネルギーを緩和させながら、ヘッドの移動方向に沿って１０〜２００ｍｍの範囲で略直線的に打点部を移動させ、その後、打点部を停止させる。すなわち、このヘッドは、振り抜かれない状態で、インパクトの直後に支持部で支持された打点部により、そのスイングが停止される。これにより、（１）　インパクト直後のスイングの状態が把握でき、（２）　インパクト時に身体の壁を作る、（３）　そのインパクト時にグリップをしっかり握る、（４）　ヘッドアップ防止等の動作を確認しやすいといった効果が得られる。よって、このようなゴルフスイングを何回も練習すれば、手首等を痛めることなく、インパクト付近の望ましい身体の使い方を会得することができる。
【０００３】
【発明が解決しようとする課題】
しかしながら、従来のゴルフ練習具にあっては、このようにヘッドがインパクト後に振り抜かれず、支持部で支持された打点部により停止していた。そのため、ゴルフクラブのスイング法において、ボールの飛距離を延ばす技法である、インパクト直後のヘッドによるボールの押し込み方を会得することは難しかった。すなわち、従来のゴルフ練習具では、ヘッドがインパクト後に振り抜かれないので、使用者はインパクト時の姿勢にだけ神経が集中し、その後のボールの押し込みを軽んじてしまうからである。
【０００４】
そこで、これとは異なる従来のゴルフ練習具として、鉛直方向の回転軸を有して水平方向に旋回可能な水平アームの先端に、ボール形状の打点部を取り付けたものが知られている。これによれば、インパクト直後、打点部が水平アームを介して回転軸を中心にして回転する。そのため、クラブヘッドを振り抜ける。しかしながら、このように打点部が水平面内で回転するので、垂直に近い面内で略円運動をするヘッドに対し、インパクト直後からボールの移動方向が大きく逸れてしまう。よって、ボールの押し込み抵抗をグリップを介して両手で感じにくい。これは、回転軸と水平アームとの間にばね部材を介在させ、インパクト時の打点部の回転荷重を大きくするように改良した場合も同じである。それだけではなく、このような方法を採用すれば、実際にボールを打った時とは異なる方角に対するボールの押し込み方を身体が覚え、スイング全体が崩れてしまうおそれもある。
【０００５】
【発明の目的】
この発明は、インパクト直後のヘッドによるボールの押し込み方を効果的に会得することができるゴルフ練習具を提供することを、その目的としている。
また、この発明は、使用者のスイング力の大きさに合わせて衝撃緩和シリンダの内圧を調整することができるゴルフ練習具を提供することを、その目的としている。
さらに、この発明は、インパクト直後、ヘッドによる適度なボールの押し込みを行った後、円滑にヘッドを振り抜くことができるゴルフ練習具を提供することを、その目的としている。
さらにまた、インパクト時の衝撃力を測定することができ、しかもこの測定値からボールの飛距離を推定することもできるゴルフ練習具を提供することを、その目的としている。
【０００６】
【課題を解決するための手段】
請求項１に記載の発明は、ゴルフクラブのヘッドを打点部に衝突させてゴルフクラブのスイングを練習するゴルフ練習具において、前記打点部がピストンロッドの先端部に固定され、シリンダ内部にインパクト時の衝撃力を緩和させる緩衝用流体が充填された衝撃緩和シリンダを備えたゴルフ練習具である。
打点部の種類、大きさ、形状などは限定されない。例えば、ゴルフボールでもよい。
緩衝用流体の原料は限定されない。例えば、水、油などの液体を採用することができる。また、空気、不活性ガス（窒素ガス、ヘリウムガスなど）などの気体を採用することができる。さらには所定の粒径の粉粒体でもよい。
衝撃緩和シリンダの種類は、使用される緩衝用流体によって決定される。例えば、緩衝用流体が圧縮空気の場合、衝撃緩和シリンダはエアシリンダとなる。衝撃緩和シリンダの大きさ、形状などは適宜選択される。
【０００７】
請求項２に記載の発明は、前記衝撃緩和シリンダには、前記緩衝用流体の充填量を調整する充填量調整手段が設けられた請求項１に記載のゴルフ練習具である。
充填量調整手段の構成は限定されない。例えば手動弁、電磁弁などを採用することができる。ボールの押し込み抵抗を大きくしたい場合には、この充填量調整手段を介して、流体供給装置から衝撃緩和シリンダ内に緩衝用流体を所定量だけ供給し、衝撃緩和シリンダの内圧を高める。一方、ボールの押し込み抵抗を小さくしたい場合には、この充填量調整手段を介して、衝撃緩和シリンダ内の緩衝用流体を所定量だけ排出し、衝撃緩和シリンダの内圧を低くする。
【０００８】
請求項３に記載の発明は、前記打点部とピストンロッドとの間には、前記打点部を弾性支持する弾性部材が設けられた請求項１または請求項２に記載のゴルフ練習具である。
弾性部材の種類は限定されない。例えば、金属製のコイルばね、板ばねなどを採用することができる。その他、ゴム棒およびゴム板、弾性を有する合成樹脂棒および合成樹脂板などを採用することができる。
【０００９】
請求項４に記載の発明は、前記衝撃緩和シリンダに、インパクト時の衝撃力の大きさを測定する圧力ゲージを設けた請求項１〜請求項３のうち、何れか１項に記載のゴルフ練習具である。
【００１０】
【作用】
この発明によれば、スイングしたヘッドが打点部に衝突すると、ピストンが衝撃緩和シリンダ内に直線的に押し込められる。この押し込み分だけ、シリンダ内の緩衝用流体が圧縮され、その結果、ヘッドの運動エネルギーが緩和されるとともに、ヘッドに対して作用する抵抗力が大きくなる。このとき、使用者はインパクト直後の打点部（ボール）の押し込み抵抗を、容易に両手で感じることができる。すなわち、インパクト時からヘッドが振り抜かれるまでの間は、シリンダの内部空気はピストンにより加圧されてゆく。そのため、この間は相当の打撃力を維持する必要がある。その結果、この練習でインパクト時の打撃力と振り抜き力とを増強することができる。これにより、ボールの飛距離を伸ばすことができる。
その後、垂直に近い面内で略円運動をするヘッドは、直線的に移動する打点部から徐々に離れて行く。これによりヘッドが振り抜ける。
このようにして、インパクト直後のヘッドによるボールの押し込み方を効果的に会得することができる。なお、衝撃緩和シリンダ側に移動した打点部は、その後、ピストンの反力により押し戻される。
衝撃緩和シリンダに代えて、板ばねやコイルばねなどを採用することも考えられる。しかしながら、打点部の押し込み抵抗の大きさを変更する構造（請求項２に相当）が複雑化したり、これらのばね材が破損したりしやすい。
【００１１】
特に、請求項２の発明によれば、打点部の押し込み抵抗を大きくする際には、充填量調整手段を利用して、例えば流体供給装置から衝撃緩和シリンダ内に緩衝用流体を所定量だけ供給する。その結果、衝撃緩和シリンダの内圧が高まり、徐々に圧力を高めてゆくことで、より腕力を必要とする打点部の打撃練習を行うことができる。
反対に、打点部の押し込み抵抗を小さくする際には、充填量調整手段により、衝撃緩和シリンダ内の緩衝用流体を所定量だけ排出し、このシリンダの内圧を低くすればよい。このようにして、使用者のスイング力のレベルに合わせて、衝撃緩和シリンダの内圧を調整することができる。
【００１２】
また、請求項３の発明によれば、打点部とピストンロッドとの間に弾性部材を設けたので、インパクト直後、ヘッドによる適度な打点部の押し込みが行われた後、ヘッドの円運動に合わせて弾性部材がその方向に湾曲する。これにより、円滑にヘッドを振り抜くことができる。
【００１３】
さらに、請求項４の発明によれば、衝撃緩和シリンダに圧力ゲージを設けたので、インパクト時の衝撃力を測定することができ、しかもその測定値からボールの飛距離を推定することもできる。
【００１４】
【発明の実施の形態】
以下、この発明に係るゴルフ練習具を図面を参照して説明する。なお、説明の都合上、Ｘ方向をこの練習具の長さ方向、Ｙ方向をこの練習具の幅方向、Ｚ方向をこの練習具の高さ方向とする。
図１は、この発明の一実施例に係るゴルフ練習具の使用状態の正面図である。図２は、この発明の一実施例に係るゴルフ練習具の衝撃緩和シリンダを省略した側面図である。図３は、この発明の一実施例に係るゴルフ練習具の衝撃緩和シリンダを省略した要部平面図である。
図１〜図３に示すように、１０はこの発明の一実施例に係るゴルフ練習具で、ゴルフ練習具１０は、ゴルフクラブのヘッド１１を衝突させてゴルフクラブのスイングを練習するための器具である。このゴルフ練習具１０は、ヘッド１１が衝突する打点部１２と、打点部１２がピストンロッド１３の先端部に固定され、シリンダ１４内部にインパクト時の衝撃力を緩和させる圧縮空気（緩衝用流体）が充填された衝撃緩和シリンダ１５とを備えている。
【００１５】
以下、このゴルフ練習具１０を詳細に説明する。
ゴルフ練習具１０は、Ｘ方向に長いレール台１６を有している。レール台１６には、その一端部から中央部にかけて、レール溝１６ａが形成されている。このレール溝１６ａの内部空間には、走行台車１７が１対の車輪１８，１８を介して、レール長さ方向に走行可能に収納されている。走行台車１７の中央部上には、ロッド支持部１７ａが立設されている。ロッド支持部１７ａの上部には、Ｘ方向の両側面を貫通してピストンロッド１３の内嵌孔１７ｂが形成されている。このロッド支持部１７ａの元部のＹ方向の両側には、走行台車１７の走行時、レール溝１６ａの上端部の両内壁に沿って摺動することで、走行台車１７の走行時のガタつきを防止する１対のガタつき防止板１９，１９が、互いに平行状態で配設されている。前記ピストンロッド１３の元部には、シリンダ１４の内周面に沿ってＸ方向に摺動するピストンＰが固着されている。また、内嵌孔１７ｂから外方に突出したピストンロッド１３の先端部には、太さ２ｍｍ程度のＸ方向に長い強靱なコイルばね（弾性部材）２０が突設されている。打点部１２はゴルフボール製で、コイルばね２０を介して、ピストンロッド１３にしっかりと固定されている。
【００１６】
衝撃緩和シリンダ１５は、その元部がレール台１６のレール溝１６ａの形成側とは反対の端部上に固定されている。シリンダ１４の元部側の端部上には、インパクト時の衝撃力の大きさを測定する圧力ゲージ２１が立設されている。また、シリンダ１４の元部側の端板には、圧縮空気の充填量を調整する開閉弁（充填量調整手段）２２が突設されている。この開閉弁２２には、連結パイプを介して、外設された圧縮空気発生装置（流体供給装置）２３が連通されている。
【００１７】
次に、この一実施例に係るゴルフ練習具１０の使用方法を説明する。
ゴルフ練習具１０の使用時、打点部１２にクラブのヘッド１１を衝突させるようにスイングすると、ピストンＰがシリンダ１４内に直線的に押し込められる。このとき、走行台車１７がレール溝１６ａに沿ってシリンダ１４側に走行し、ピストンロッド１３およびピストンＰのスムーズな移動をガイドする。また、走行台車１７の走行時のガタつきは、ガタつき防止板１９，１９により防止される。この押し込み分だけ、シリンダ１４内の空気が圧縮される。その結果、ヘッド１１の運動エネルギーが緩和されるとともに、ヘッド１１に対して作用する抵抗力が大きくなる。以降もスイングは続行される。その間、使用者はインパクト直後の打点部１２の押し込み抵抗を両手で感じることができる。すなわち、インパクト時からヘッド１１が振り抜かれるまでの間は、シリンダ１４の内圧が高まる。そのため、この間は相当の打撃力を維持しなければならない。よって、この練習によりインパクト時の打撃力と振り抜き力とを増強することができる。その結果、ボールの飛距離を伸ばすことができる。
その後、垂直に近い面内で略円に近い軌跡ａを描くヘッド１１は、直線的に移動する打点部１２から徐々に離れて行く。これにより、ヘッド１１が振り抜ける。このようにして、インパクト直後のヘッド１１によるボールの押し込み方を効果的に会得することができる。
【００１８】
また、打点部１２の押し込み抵抗を大きくする際には、開閉弁２２を利用して、例えば圧縮空気発生装置２３からシリンダ１４内に圧縮空気を所定量だけ供給する。その結果、シリンダ１４の内圧が高まり、より腕力を必要とする打点部１２の打撃練習を行うことができる。すなわち、この練習時に徐々にシリンダ１４の内圧を高めるように調整することで、効果的にインパクト時の打撃力と振り抜き力とを増強することができる。
これとは反対に、打点部１２の押し込み抵抗を小さくしたい場合には、開閉弁２２を開いて、シリンダ１４内の圧縮空気を所定量だけ排出すればよい。このようにして、使用者のスイング力のレベルに合わせ、シリンダ１４のピストン押し込み抵抗を調整することができる。
さらに、一実施例では、打点部１２とピストンロッド１３との間にコイルばね２０を設けたので、インパクト直後、ヘッド１１による適度な打点部１２の押し込みが行われた後、ヘッド１１の円運動に合わせてコイルばね２０がその方向に湾曲する。これにより、円滑にヘッド１１を振り抜くことができる。
そして、シリンダ１４に圧力ゲージ２１を設けたので、インパクト時の衝撃力を測定することができ、しかもその測定値からボールの飛距離を推定することもできる。
【００１９】
【発明の効果】
この発明によれば、ヘッドが衝突する打点部と、打点部がピストンロッドの先端部に固定され、シリンダ内部にインパクト時の衝撃力を緩和させる緩衝用流体が充填された衝撃緩和シリンダとを備えたので、インパクト直後のヘッドによるボールの押し込み方を効果的に会得することができる。
【００２０】
特に、請求項２の発明によれば、衝撃緩和シリンダに、緩衝用流体の充填量を調整する充填量調整手段を設けたので、使用者のスイング力の大きさに合わせて衝撃緩和シリンダのピストンの押し込み抵抗を調整することができる。
【００２１】
また、請求項３の発明によれば、打点部とピストンロッドとの間に、打点部を弾性支持する弾性部材を設けたので、インパクト直後、ヘッドによる適度な打点部の押し込みを行った後、円滑にヘッドを振り抜くことができる。
【００２２】
さらに、請求項４の発明によれば、衝撃緩和シリンダに圧力ゲージを設けたので、インパクト時の衝撃力を測定することができる。これにより、その測定値からボールの飛距離を推定することもできる。
【図面の簡単な説明】
【図１】この発明の一実施例に係るゴルフ練習具の使用状態の正面図である。
【図２】この発明の一実施例に係るゴルフ練習具の衝撃緩和シリンダを省略した側面図である。
【図３】この発明の一実施例に係るゴルフ練習具の衝撃緩和シリンダを省略した要部平面図である。
【符号の説明】
１０　ゴルフ練習具、
１１　ヘッド、
１２　打点部、
１３　ピストンロッド、
１４　シリンダ、
１５　衝撃緩和シリンダ、
２０　コイルばね（弾性部材）、
２１　圧力ゲージ、
２２　開閉弁（充填量調整手段）。
【図１】
2004033559.tif 000003
【図２】
2004033559.tif 000004
【図３】
2004033559.tif 000005